(57)【要約】【課題】乳房Ｘ線撮影装置において、患者の被曝を低減させ、また、患者の乳房の圧迫時間を短縮させること。【解決手段】乳房Ｘ線撮影装置１は、今回のメイン撮影に係る今回の乳房厚と過去のメイン撮影に係る過去の乳房厚との差を同一被検体に関して求め、過去のメイン撮影に係る過去のメイン撮影条件のパラメータを、差に従って補正することで、今回のメイン撮影に係る今回のメイン撮影条件のパラメータを設定する第２メイン撮影条件設定手段５７と、今回のメイン撮影条件に従って撮影台装置１１を制御することで乳房に対して今回のメイン撮影を行ない、メイン画像を生成するメイン撮影手段５８と、を有する。【選択図】  図７
2015084934.tif 000002
【特許請求の範囲】
【請求項１】
今回のメイン撮影に係る今回の乳房厚と過去のメイン撮影に係る過去の乳房厚との差を同一被検体に関して求め、前記過去のメイン撮影に係る過去のメイン撮影条件のパラメータを前記差に従って補正することで、前記今回のメイン撮影に係る今回のメイン撮影条件のパラメータを設定するメイン撮影条件設定手段と、
前記今回のメイン撮影条件に従って撮影台装置を制御することで乳房に対して前記今回のメイン撮影を行ない、メイン画像を生成するメイン撮影手段と、
を有する乳房Ｘ線撮影装置。
【請求項２】
前記メイン撮影条件設定手段は、乳房厚の差と補正係数との対応テーブルを記憶する記憶装置から、前記今回の乳房厚と前記過去の乳房厚との差に対応する補正係数を取得し、前記過去のメイン撮影条件のパラメータに前記取得された補正係数を乗じることで、前記今回のメイン撮影条件のパラメータを設定する請求項１に記載の乳房Ｘ線撮影装置。
【請求項３】
前記メイン撮影条件設定手段は、前記過去のメイン撮影条件に含まれる管電流時間積のパラメータに関する前記対応テーブルを記憶する記憶装置から、前記今回の乳房厚と前記過去の乳房厚との差に対応する補正係数を取得し、前記管電流時間積のパラメータに前記取得された補正係数を乗じることで、前記今回のメイン撮影条件に含まれる管電流時間積のパラメータを設定する請求項２に記載の乳房Ｘ線撮影装置。
【請求項４】
前記メイン撮影条件設定手段は、前記今回のメイン撮影の対象としての乳房側が、前記過去のメイン撮影の対象としての乳房側と同一である場合にのみ、前記過去のメイン撮影条件のパラメータを補正して前記今回のメイン撮影条件のパラメータを設定する請求項１乃至３のうちいずれか一項に記載の乳房Ｘ線撮影装置。
【請求項５】
前記メイン撮影条件設定手段は、前記今回のメイン撮影の撮影方向が、前記過去のメイン撮影の撮影方向と略同一である場合にのみ、前記過去のメイン撮影条件のパラメータを補正して前記今回のメイン撮影条件のパラメータを設定する請求項１乃至３のうちいずれか一項に記載の乳房Ｘ線撮影装置。
【請求項６】
前記メイン撮影条件設定手段は、前記今回のメイン撮影の対象としての乳房側が、前記過去のメイン撮影の対象としての乳房側と同一である場合であり、かつ、前記今回のメイン撮影の撮影方向が、前記過去のメイン撮影の撮影方向と略同一である場合にのみ、前記過去のメイン撮影条件のパラメータを補正して前記今回のメイン撮影条件のパラメータを設定する請求項１乃至３のうちいずれか一項に記載の乳房Ｘ線撮影装置。
【発明の詳細な説明】
【技術分野】
【０００１】
本発明の一態様としての実施形態は、乳房を撮影する乳房Ｘ線撮影装置に関する。
【背景技術】
【０００２】
がんやその他の異状を診断するために乳房組織の２次元画像を提供して乳房検査を行なう乳房Ｘ線撮影法（マンモグラフィ）が広く使用されている。乳房は立体的で繊細な構造をしているので、専用のＸ線装置（乳房Ｘ線撮影装置）で撮影を行なっている。
【０００３】
乳房Ｘ線撮影装置では、撮影台上に乳房が載置されると、撮影台の上方に設けられた圧迫板により乳房の厚さを薄く均一にするように乳房が圧迫される。そして、メイン撮影に先立って、メイン撮影の撮影条件を決定するために放射線量を少なく設定したプレ撮影が行なわれる（例えば、特許文献１参照）。
【先行技術文献】
【特許文献】
【０００４】
【特許文献１】特開２０１３−１３８８２８号公報
【発明の概要】
【発明が解決しようとする課題】
【０００５】
従来の乳房Ｘ線撮影装置では、同一患者を撮影する場合であっても、乳房を圧迫する都度、メイン撮影に先立ってプレ撮影を行なっていた。例えば、同一患者において、右乳房の頭尾方向（ＣＣ）及び内外斜位方向（ＭＬＯ）の２画像と、左乳房のＣＣ及びＭＬＯの２画像を収集する場合、合計で４回のメイン撮影に先立ってそれぞれ４回のプレ撮影を行なっていた。
【０００６】
プレ撮影においても乳房にＸ線が照射されるので患者への被曝の問題が生じる。また、４回のプレ撮影において合計で十数秒の圧迫時間が発生するので、乳房圧迫によって患者に対する負担が大きい。
【課題を解決するための手段】
【０００７】
本実施形態の乳房Ｘ線撮影装置は、上述した課題を解決するために、今回のメイン撮影に係る今回の乳房厚と過去のメイン撮影に係る過去の乳房厚との差を同一被検体に関して求め、前記過去のメイン撮影に係る過去のメイン撮影条件のパラメータを前記差に従って補正することで、前記今回のメイン撮影に係る今回のメイン撮影条件のパラメータを設定するメイン撮影条件設定手段と、前記今回のメイン撮影条件に従って撮影台装置を制御することで乳房に対して前記今回のメイン撮影を行ない、メイン画像を生成するメイン撮影手段と、を有する。
【図面の簡単な説明】
【０００８】
【図１】本実施形態の乳房Ｘ線撮影装置の全体の外観構成を示す斜視図。
【図２】図１に示す本実施形態の乳房Ｘ線撮影装置を用いて乳房を内外斜位方向で撮影する場合の外観を示す斜視図。
【図３】図１に示す本実施形態の乳房Ｘ線撮影装置を用いて乳房を頭尾方向で撮影する場合の外観を示す側面図。
【図４】本実施形態の乳房Ｘ線撮影装置に備える画像処理装置の構成を示すブロック図。
【図５】登録ＤＢに記憶される登録データの一例を示す図。
【図６】対応テーブルＤＢに記憶されるテーブルの一例をグラフして示す図。
【図７】本実施形態の乳房Ｘ線撮影装置の機能を示すブロック図。
【図８】本実施形態の乳房Ｘ線撮影装置の動作を示すフローチャート。
【図９】本実施形態の乳房Ｘ線撮影装置の動作を示すフローチャート。
【図１０】本実施形態の乳房Ｘ線撮影装置の動作を示すフローチャート。
【図１１】本実施形態の乳房Ｘ線撮影装置の動作を示すフローチャート。
【図１２】登録ＤＢに記憶される登録データの一例を示す図。
【図１３】登録ＤＢに記憶される登録データの一例を示す図。
【図１４】第１変形例に係る本実施形態の乳房Ｘ線撮影装置の動作を示すフローチャート。
【図１５】第１変形例に係る本実施形態の乳房Ｘ線撮影装置の動作を示すフローチャート。
【図１６】第１変形例に係る本実施形態の乳房Ｘ線撮影装置の動作を示すフローチャート。
【図１７】第１変形例に係る本実施形態の乳房Ｘ線撮影装置の動作を示すフローチャート。
【図１８】登録ＤＢに記憶される登録データの一例を示す図。
【図１９】登録ＤＢに記憶される登録データの一例を示す図。
【図２０】登録ＤＢに記憶される登録データの一例を示す図。
【図２１】登録ＤＢに記憶される登録データの一例を示す図。
【発明を実施するための形態】
【０００９】
本実施形態の乳房Ｘ線撮影装置について、添付図面を参照して説明する。
【００１０】
図１は、本実施形態の乳房Ｘ線撮影装置の全体の外観構成を示す斜視図である。図２は、図１に示す本実施形態の乳房Ｘ線撮影装置を用いて乳房を内外斜位方向（ＭＬＯ）で撮影する場合の外観を示す斜視図である。図３は、図１に示す本実施形態の乳房Ｘ線撮影装置を用いて乳房を頭尾方向（ＣＣ）で撮影する場合の外観を示す側面図である。
【００１１】
図１は、患者（被検体）Ｏの乳房を撮影する本実施形態の乳房Ｘ線撮影装置１を示す。乳房Ｘ線撮影装置１は、撮影台装置１１及び画像処理装置１２によって構成される。
【００１２】
撮影台装置１１は、アーム部１５、スタンド部１６、接続部１７、及び操作部１８を備える。アーム部１５は、接続部１７を介して回転可能なようにスタンド部１６に支持される。
【００１３】
アーム部１５は、Ｘ線管２１、線質調整フィルタ／照射野制限マスク２２、フェイスガード２３、圧迫板２４、グリッド２５、撮影台２６、圧迫フットペダル２７、及びＣアーム上下／回転微調整スイッチ２８を備える。スタンド部１６は、情報表示パネル３０及びサイドパネル３１を備える。操作部１８は、撮影条件設定パネル３２及び高電圧供給装置３３を備える。
【００１４】
アーム部１５のＸ線管２１は、操作部１８の高電圧供給装置３３からの高電圧電力の供給を受けて、この高電圧電力の条件に応じて患者Ｏの乳房を介して撮影台２６に向かってＸ線を照射するための真空管である。
【００１５】
線質調整フィルタ／照射野制限マスク２２は、Ｘ線管２１によって発生されたＸ線の線質を調整したり照射野を制限したりするための調整器具である。
【００１６】
フェイスガード２３は、撮影時に患者Ｏの頭部をＸ線被曝から保護するための防護器具である。
【００１７】
圧迫板２４は、撮影台２６との間で患者Ｏの乳房のうち片方を圧迫するために撮影台２６の上方に設けられる圧迫器具である。圧迫板２４は、透明な樹脂で形成されており、撮影台２６に対して接離可能に支持されている。そして、圧迫板２４を撮影台２６側に移動させることによって患者Ｏの乳房を圧迫し、乳房の厚さを薄く略均一にすることが可能である。圧迫板２４は、圧迫フットペダル２７が技師等の撮影者によって操作された場合に、圧迫板２４を上下方向に移動させるためのモータからなる駆動機構（図示しない）が駆動することによって上下方向に移動する。
【００１８】
グリッド２５は、散乱線を除去して撮影画像のコントラストを改善するための器具である。
【００１９】
撮影台２６は、患者Ｏの乳房を透過したＸ線を検出するためのＦＰＤ（平面検出器：ｆｌａｔ  ｐａｎｅｌ  ｄｅｔｅｃｔｏｒ）とグリッド２５とを内部に備えた台である。ＦＰＤ内には、複数の検出素子が二次元に配列されており、各検出素子間には、走査線と信号線とが直交するように配設されている。ＦＰＤから出力される時系列的なアナログ信号（ビデオ信号）の投影データは、デジタル信号に変換され、画像処理装置１２に出力される。
【００２０】
圧迫フットペダル２７は、圧迫板２４の上下方向への位置を調整するための、操作者が踏むためのペダルである。
【００２１】
Ｃアーム上下／回転微調整スイッチ２８は、Ｘ線管２１や撮影台２６等から構成されるＣアームを上下に移動したり回転したりするためのスイッチである。
【００２２】
スタンド部１６の情報表示パネル３０は、圧迫情報等の各種情報を表示するためのパネルである。
【００２３】
サイドパネル３１は、乳房Ｘ線撮影装置１の各部を制御するための操作パネルである。
【００２４】
操作部１８の撮影条件設定パネル３２は、Ｘ線撮影の条件を設定するためのパネルである。
【００２５】
高電圧供給装置３３は、アーム部１５のＸ線管２１に電圧を供給する装置である。
【００２６】
撮影台装置１１のＸ線管２１によってＸ線が発生されると、そのＸ線は線質調整フィルタ／照射野制限マスク２２によって照射範囲を絞られたうえで、圧迫板２４と撮影台２６との間で圧迫された乳房に照射される。そして、乳房を透過したＸ線は撮影台２６のＦＰＤによって検出されて投影データに変換され、画像処理装置１２に出力される。
【００２７】
画像処理装置１２は、乳房Ｘ線撮影装置１全体の動作制御や、撮影台装置１１によって取得された撮影画像に関する画像処理等を行なう装置である。画像処理装置１２は、入力装置４１、及び表示装置４２等を含む。
【００２８】
なお、乳房Ｘ線撮影装置１は、座位にて患者Ｏの乳房を撮影する場合を説明するものであるが、その場合に限定されるものではない。例えば、乳房Ｘ線撮影装置１は、背臥位等にて患者Ｏの乳房を撮影する場合であってもよい。
【００２９】
図４は、本実施形態の乳房Ｘ線撮影装置１に備える画像処理装置１２の構成を示すブロック図である。
【００３０】
図４は、乳房Ｘ線撮影装置１に備える画像処理装置１２を示す。画像処理装置１２は、入力装置４１、表示装置４２、システム制御部４３、及び記憶装置４４、登録ＤＢ（ｄａｔａｂａｓｅ）４５、及び対応テーブルＤＢ４６を備える。
【００３１】
入力装置４１は、操作者によって操作が可能なキーボード及びマウス等であり、操作に従った入力信号がシステム制御部４３に送られる。
【００３２】
表示装置４２は、液晶ディスプレイやＣＲＴ（ｃａｔｈｏｄｅ  ｒａｙ  ｔｕｂｅ）等によって構成される。表示装置４２は、システム制御部４３から出力される表示画像を、種々の文字情報や目盛等と共に表示する。
【００３３】
システム制御部４３は、ＣＰＵ（ｃｅｎｔｒａｌ  ｐｒｏｃｅｓｓｉｎｇ  ｕｎｉｔ）及びメモリによって構成される。ＣＰＵは、操作者によって入力装置４１が操作等されることにより指令が入力されると、撮影台装置１１の動作や画像処理装置１２全体の制御を行なう。
【００３４】
メモリは、ＲＯＭ（ｒｅａｄ  ｏｎｌｙ  ｍｅｍｏｒｙ）及びＲＡＭ（ｒａｎｄｏｍ  ａｃｃｅｓｓ  ｍｅｍｏｒｙ）等を含む記憶装置である。メモリは、ＣＰＵのワークメモリやデータの一時的な記憶に用いられたりする。
【００３５】
記憶装置４４は、磁性体を塗布又は蒸着した金属のディスクＨＤ（ｈａｒｄ  ｄｉｓｃ）が着脱不能で内蔵されているＨＤＤ（ｈａｒｄ  ｄｉｓｃ  ｄｒｉｖｅ）等の記憶装置である。記憶装置４４は、画像処理装置１２にインストールされたプログラム（アプリケーションプログラムの他、ＯＳ（ｏｐｅｒａｔｉｎｇ  ｓｙｓｔｅｍ）等も含まれる）や、データを記憶する記憶装置である。また、ＯＳに、操作者に対する情報の表示にグラフィックを多用し、基礎的な操作を入力装置４１によって行なうことができるＧＵＩ（ｇｒａｐｈｉｃａｌ  ｕｓｅｒ  ｉｎｔｅｒｆａｃｅ）を提供させることもできる。
【００３６】
登録ＤＢ４５は、識別情報に、メイン撮影条件及び乳房厚が対応付けられた登録データを記憶する記憶装置である。登録データは、識別情報毎の登録データ要素からなる。
【００３７】
図５は、登録ＤＢ４５に記憶される登録データの一例を示す図である。
【００３８】
図５に示すように、登録データは、識別情報としての患者ＩＤ（ｉｄｅｎｔｉｆｉｃａｔｉｏｎ）に、メイン撮影条件と、乳房厚とが対応付けられてなる。メイン撮影条件としては、管電圧及び管電流時間積（照射線量）等が挙げられる。例えば、図５に示す患者ＩＤ「００１」の登録データ要素は、メイン撮影条件のパラメータ「３０ｋＶ」及び「１００ｍＡｓ」と、乳房厚「４４ｍｍ」とが対応付けられてなる。
【００３９】
図４の説明に戻って、対応テーブルＤＢ４６は、乳房厚の差と補正係数との対応テーブルをデータとして記憶する記憶装置である。
【００４０】
図６は、対応テーブルＤＢ４６に記憶されるテーブルの一例をグラフして示す図である。
【００４１】
図６に示すグラフは、今回のメイン撮影に係る乳房厚から、登録データ（図５に図示）に基づく、過去のメイン撮影に係る乳房厚を引いた差に対応する補正係数を示すテーブルを表すものである。テーブルによると、乳房厚の差が正であると、補正係数が１より大きくなる一方、乳房厚の差が負であると、補正係数が１より小さくなる。
【００４２】
ここで、対応テーブルは、同一患者毎の複数のメイン撮影に係る複数の撮影条件と、乳房厚との関係に基づいて予め設定される。
【００４３】
なお、対応テーブルＤＢ４６には、メイン撮影条件に含まれる管電流時間積のパラメータに関する対応テーブルが記憶される。しかしながら、対応テーブルＤＢ４６には、メイン撮影条件に含まれる他のパラメータに関する対応テーブルも記憶されてよい。以下、特に言及しない限り、メイン撮影条件に含まれる管電流時間積のパラメータに関する対応テーブルを記憶する場合について説明する。
【００４４】
図７は、本実施形態の乳房Ｘ線撮影装置１の機能を示すブロック図である。
【００４５】
画像処理装置１２のシステム制御部４３がプログラムを実行することによって、図７に示すように、システム制御部４３は、乳房厚取得手段５１、判断手段５２、プレ撮影条件設定手段５３、プレ撮影手段５４、第１メイン撮影条件設定手段５５、データ管理手段５６、第２メイン撮影条件設定手段５７、及びメイン撮影手段５８として機能する。なお、システム制御部４３の手段５１乃至５８の全部又は一部は、システム制御部４３にハードウェアとして備えられるものであってもよい。
【００４６】
乳房厚取得手段５１は、今回のメイン撮影のために撮影台装置１１の圧迫板２４によって患者Ｏの乳房が圧迫されると、今回のメイン撮影に係る今回の乳房厚を取得する機能を有する。乳房厚取得手段５１は、乳房が圧迫解除の状態から圧迫状態に遷移するごとに、今回の乳房厚を取得する。乳房厚取得手段５１は、圧迫板２４によって圧迫された乳房への圧迫力と、圧迫板２４によって圧迫された乳房の乳房厚とのうち少なくとも一方を取得する。
【００４７】
判断手段５２は、従来技術に従って今回のメイン撮影に係る今回のメイン撮影条件を設定するか、または、本実施形態に従って今回のメイン撮影に係る今回のメイン撮影条件を設定するかを判断する機能を有する。判断手段５２は、登録ＤＢ４５の登録データ（図５に図示）を参照し、今回のメイン撮影に係る識別情報を含む登録データ要素が登録されている場合、本実施形態に従って今回のメイン撮影条件を設定すると判断する。ここでは、識別情報が、患者ＩＤのみである場合について説明する。
【００４８】
今回のメイン撮影のために圧迫された乳房を有する患者Ｏの患者ＩＤを含む登録データ要素が登録されている場合、すなわち、今回のメイン撮影の対象が図５に示す患者ＩＤ「００１」の乳房である場合、判断手段５２は、本実施形態に従って今回のメイン撮影条件を設定するものと判断する。一方で、今回のメイン撮影の対象が図５に示す患者ＩＤ「００１」，「００２」以外の乳房である場合、判断手段５２は、従来技術に従って今回のメイン撮影条件を設定するものと判断する。
【００４９】
なお、判断手段５２は、今回のメイン撮影のために圧迫された乳房を有する患者Ｏの患者ＩＤを含む登録データ要素が登録されている場合であっても、入力装置４１からの入力に従って、強制的に従来技術に従って今回のメイン撮影条件を設定するものと判断してもよい。
【００５０】
プレ撮影条件設定手段５３は、判断手段５２によって従来技術に従って今回のメイン撮影条件を設定すると判断される場合、乳房厚取得手段５１によって取得された今回の乳房厚に基づいて、今回のメイン撮影のために圧迫された乳房をプレ撮影するためのプレ撮影条件（管電圧及び管電流時間積等）を設定する機能を有する。
【００５１】
プレ撮影手段５４は、プレ撮影条件設定手段５３によって設定されたプレ撮影条件に従って撮影台装置１１を制御して、圧迫された乳房に対してプレ撮影を行なう機能を有する。また、プレ撮影手段５４は、プレ撮影によって得られたデータに基づいてプレ画像を生成する機能を有する。
【００５２】
第１メイン撮影条件設定手段５５は、プレ撮影手段５４によって生成されたプレ画像を画像解析して、今回のメイン撮影に係るメイン撮影条件（管電圧及び管電流時間積等）を設定する機能を有する。
【００５３】
データ管理手段５６は、第１メイン撮影条件設定手段５５によって設定された今回のメイン撮影条件を、識別情報としての患者ＩＤと、今回のメイン撮影のために圧迫された乳房の乳房厚とともに登録データ要素として登録ＤＢ４５に登録する機能を有する。また、データ管理手段５６は、判断手段５２によって本実施形態に従って今回のメイン撮影条件を設定するものと判断される場合、登録ＤＢ４５から今回のメイン撮影に係る患者ＩＤを含む登録データ要素を取得する機能を有する。
【００５４】
第２メイン撮影条件設定手段５７は、データ管理手段５６によって登録ＤＢ４５から今回のメイン撮影に係る患者ＩＤを含む登録データ要素が取得されると、今回の乳房厚から、取得された登録データ要素に含まれる過去の乳房厚を引いた差を求める機能を有する。また、第２メイン撮影条件設定手段５７は、取得された登録データ要素に含まれる過去のメイン撮影条件のうち管電流時間積のパラメータを、求めた差に従って補正することで、今回のメイン撮影条件のうち管電流時間積のパラメータを設定する機能を有する。
【００５５】
今回のメイン撮影のために圧迫された乳房を有する患者Ｏの患者ＩＤを含む登録データ要素が登録されている場合、すなわち、今回のメイン撮影が図５に示す患者ＩＤ「００１」の乳房である場合、第２メイン撮影条件設定手段５６は、過去のメイン撮影条件のうち管電流時間積のパラメータ「１００ｍＡｓ」を、今回の乳房厚と過去の乳房厚「４４ｍｍ」との差に従って補正することで、今回のメイン撮影条件のうち管電流時間積のパラメータを設定する。
【００５６】
なお、第２メイン撮影条件設定手段５７は、過去のメイン撮影条件を、今回の乳房厚と過去の乳房厚との差に従って補正する際、対応テーブルＤＢ４６の対応テーブル（図６に図示）を参照することが好適である。この場合、第２メイン撮影条件設定手段５７は、同一患者Ｏに関し、今回の乳房厚から、取得された登録データ要素に含まれる過去の乳房厚を引いた差を求める。そして、第２メイン撮影条件設定手段５７は、データ管理手段５６によって対応テーブル（図６に図示）から取得された対応テーブルを参照して、求められた差に対応する補正係数を取得する。そして、第２メイン撮影条件設定手段５７は、過去のメイン撮影条件のうち管電流時間積のパラメータに、取得された補正係数を乗じることで、今回のメイン撮影条件のうち管電流時間積のパラメータを設定する。
【００５７】
メイン撮影手段５８は、第１メイン撮影条件設定手段５５又は第２メイン撮影条件設定手段５７によって設定された今回のメイン撮影条件に従って撮影台装置１１を制御して、圧迫された乳房に対して今回のメイン撮影を行なう機能を有する。また、メイン撮影手段５８は、メイン撮影によって得られたデータに基づいてメイン画像を生成する機能を有する。
【００５８】
なお、図６に示す対応テーブルは、今回のメイン撮影に係る乳房厚から、登録データ（図５に図示）に基づく、過去のメイン撮影に係る乳房厚を引いた差に対応する補正係数を示すものであるが逆であってもよい。すなわち、対応テーブルは、登録データ（図５に図示）に基づく、過去のメイン撮影に係る乳房厚から、今回のメイン撮影に係る乳房厚を引いた差に対応する補正係数を示すことになる。その場合、第２メイン撮影条件設定手段５７は、データ管理手段５６によって登録ＤＢ４５から今回のメイン撮影に係る患者ＩＤを含む登録データ要素が取得されると、取得された登録データ要素に含まれる過去の乳房厚から、今回の乳房厚を引いた差を求める。
【００５９】
続いて、本実施形態の乳房Ｘ線撮影装置１の動作について図４、図８〜図１１を用いて説明する。ここでは、登録ＤＢ４５に登録データ（図５に図示）が登録されている場合に、患者ＩＤ「００３」の患者Ｏについて連続して４回のメイン撮影を行なう場合を例にとって説明する。４回のメイン撮影は、乳房側「右」の撮影方向（圧迫方向）「ＣＣ」における撮影（図８に図示）、乳房側「左」の撮影方向「ＣＣ」における撮影（図９に図示）、乳房側「右」の撮影方向「ＭＬＯ」における撮影（図１０に図示）、乳房側「左」の撮影方向「ＭＬＯ」における撮影（図１１に図示）、の順に行なわれるものとする。しかしながら、本実施形態の乳房Ｘ線撮影装置１の動作は、この順に行なわれる場合に限られるものでもないし、連続するメイン撮影が４回に限られるものでもないし、同一患者に対する複数のメイン撮影が連続して行なわれる場合（同一患者に対する複数のメイン撮影の間に他の患者のメイン撮影が行なわれない場合）に限られるものでもない。
【００６０】
図８〜図１１は、本実施形態の乳房Ｘ線撮影装置１の動作を示すフローチャートである。
【００６１】
まず、図８を説明すると、乳房Ｘ線撮影装置１は、撮影台装置１１の圧迫板２４によって患者ＩＤ「００３」の患者Ｏの右乳房をＣＣで圧迫する（ステップＳＴ１）。乳房Ｘ線撮影装置１は、ステップＳＴ１によって圧迫された右乳房の乳房厚（ＣＣの長さ）「４５ｍｍ」を取得する（ステップＳＴ２）。
【００６２】
乳房Ｘ線撮影装置１は、ステップＳＴ１によって圧迫された患者Ｏの患者ＩＤ「００３」を含む登録データ要素が登録データ（図５に図示）の中に登録されていないと判断し、従来技術に従って、患者ＩＤ「００３」の患者Ｏの右乳房をＣＣでメイン撮影するためのプレ撮影条件を設定する（ステップＳＴ３）。そして、乳房Ｘ線撮影装置１は、ステップＳＴ３によって設定されたプレ撮影条件に従って撮影台装置１１を制御して、ステップＳＴ１によって圧迫された右乳房に対してＣＣでプレ撮影を行ない（ステップＳＴ４）、プレ撮影によって得られたデータに基づいてプレ画像を生成する（ステップＳＴ５）。そして、乳房Ｘ線撮影装置１は、ステップＳＴ５によって生成されたプレ画像を画像解析して、右乳房をＣＣでメイン撮影するためのメイン撮影条件を設定する（ステップＳＴ６）。
【００６３】
乳房Ｘ線撮影装置１は、ステップＳＴ６によって設定されたメイン撮影条件を、識別情報としての患者ＩＤ「００３」と、ステップＳＴ１によってＣＣで圧迫された右乳房の乳房厚「４５ｍｍ」とともに登録データ要素として登録ＤＢ４５に登録する（ステップＳＴ７）。
【００６４】
図１２は、登録ＤＢ４５に記憶される登録データの一例を示す図であり、図５に示す登録データが更新されたものである。
【００６５】
右乳房をＣＣでメイン撮影するためのメイン撮影条件が設定されると、図１２に示すように、患者ＩＤ「００３」と、メイン撮影条件のパラメータ「２８ｋＶ」及び「９５ｍＡｓ」と、ステップＳＴ１（図８に図示）によって圧迫された右乳房の乳房厚「４５ｍｍ」とが対応付けられて登録データ要素として登録される。
【００６６】
図８の説明に戻って、乳房Ｘ線撮影装置１は、ステップＳＴ６によって設定されたメイン撮影条件に従って、ステップＳＴ１によって圧迫された右乳房に対してＣＣでメイン撮影を行ない（ステップＳＴ８）、そのメイン撮影によって得られたデータに基づいてメイン画像を生成する（ステップＳＴ９）。乳房Ｘ線撮影装置１は、ステップＳＴ１によって圧迫された右乳房を圧迫解除する（ステップＳＴ１０）。
【００６７】
図９の説明に進んで、乳房Ｘ線撮影装置１は、撮影台装置１１の圧迫板２４によって患者ＩＤ「００３」の患者Ｏの左乳房をＣＣで圧迫する（ステップＳＴ１１）。乳房Ｘ線撮影装置１は、ステップＳＴ１１によって圧迫された左乳房の乳房厚「４８ｍｍ」を取得する（ステップＳＴ１２）。
【００６８】
乳房Ｘ線撮影装置１は、ステップＳＴ１１によって圧迫された左乳房を有する患者Ｏの患者ＩＤ「００３」を含む登録データ要素が登録データ（図１２に図示）の中に登録されていると判断し、本実施形態に従って、登録データ（図１２に図示）から患者Ｏの患者ＩＤ「００３」を含む登録データ要素を取得する（ステップＳＴ１３）。
【００６９】
乳房Ｘ線撮影装置１は、左乳房のＣＣの乳房厚「４８ｍｍ」から、ステップＳＴ１３によって取得された登録データ要素に含まれる乳房厚「４５ｍｍ」を引いた差「３ｍｍ」を求める（ステップＳＴ１４）。そして、乳房Ｘ線撮影装置１は、ステップＳＴ１３によって取得された登録データ要素に含まれる過去のメイン撮影条件のうち管電流時間積のパラメータを、ステップＳＴ１４によって求めた差「３ｍｍ」に従って補正することで、左乳房をＣＣでメイン撮影するためのメイン撮影条件を設定する（ステップＳＴ１５）。
【００７０】
乳房Ｘ線撮影装置１は、ステップＳＴ１５において、差「３ｍｍ」を図６に示す対応テーブルに参照することで得られる変換係数「１．１５」を、ステップＳＴ１３によって取得された登録データ要素に含まれる過去のメイン撮影条件のうち管電流時間積のパラメータ「９５ｍＡｓ」に乗じる。そして、乳房Ｘ線撮影装置１は、患者ＩＤ「００３」の患者Ｏの左乳房をＣＣでメイン撮影するための管電流時間積のパラメータを、乗じられた後の「１０９．２５ｍＡｓ」と設定する。なお、管電流時間積以外のメイン撮影条件のパラメータについては、対応テーブルが存在しない限り、ステップＳＴ１３によって取得された登録データ要素に含まれる過去のものと同一とすればよい。
【００７１】
乳房Ｘ線撮影装置１は、ステップＳＴ１５によって設定されたメイン撮影条件に従って撮影台装置１１を制御して、ステップＳＴ１１によって圧迫された左乳房に対してＣＣでメイン撮影を行ない（ステップＳＴ１６）、そのメイン撮影によって得られたデータに基づいてメイン画像を生成する（ステップＳＴ１７）。乳房Ｘ線撮影装置１は、ステップＳＴ１１によって圧迫された左乳房を圧迫解除する（ステップＳＴ１８）。
【００７２】
図１０の説明に進んで、乳房Ｘ線撮影装置１は、撮影台装置１１の圧迫板２４によって患者ＩＤ「００３」の患者Ｏの右乳房をＭＬＯで圧迫する（ステップＳＴ２１）。乳房Ｘ線撮影装置１は、ステップＳＴ２１によって圧迫された右乳房の乳房厚（ＭＬＯの長さ）「４３ｍｍ」を取得する（ステップＳＴ２２）。
【００７３】
乳房Ｘ線撮影装置１は、ステップＳＴ２１によって圧迫された右乳房を有する患者Ｏの患者ＩＤ「００３」を含む登録データ要素が登録データ（図１２に図示）の中に登録されていると判断し、本実施形態に従って、登録データ（図１２に図示）から患者Ｏの患者ＩＤ「００３」を含む登録データ要素を取得する（ステップＳＴ２３）。
【００７４】
乳房Ｘ線撮影装置１は、右乳房のＭＬＯの乳房厚「４３ｍｍ」から、ステップＳＴ２３によって取得された登録データ要素に含まれる乳房厚「４５ｍｍ」を引いた差「−２ｍｍ」を求める（ステップＳＴ２４）。そして、乳房Ｘ線撮影装置１は、ステップＳＴ２３によって取得された登録データ要素に含まれる過去のメイン撮影条件のうち管電流時間積のパラメータを、ステップＳＴ２４によって求めた差「−２ｍｍ」に従って補正することで、右乳房をＭＬＯでメイン撮影するためのメイン撮影条件を設定する（ステップＳＴ２５）。
【００７５】
乳房Ｘ線撮影装置１は、ステップＳＴ２５において、差「−２ｍｍ」を図６に示す対応テーブルに参照することで得られる変換係数「０．９１」を、ステップＳＴ２３によって取得された登録データ要素に含まれる過去のメイン撮影条件のうち管電流時間積のパラメータ「９５ｍＡｓ」に乗じる。そして、乳房Ｘ線撮影装置１は、患者ＩＤ「００３」の患者Ｏの右乳房をＭＬＯでメイン撮影するための管電流時間積のパラメータを、乗じられた後の「８６．４５ｍＡｓ」と設定する。なお、管電流時間積以外のメイン撮影条件のパラメータについては、対応テーブルが存在しない限り、ステップＳＴ２３によって取得された登録データ要素に含まれる過去のものと同一とすればよい。
【００７６】
乳房Ｘ線撮影装置１は、ステップＳＴ２５によって設定されたメイン撮影条件に従って撮影台装置１１を制御して、ステップＳＴ２１によって圧迫された右乳房に対してＭＬＯでメイン撮影を行ない（ステップＳＴ２６）、そのメイン撮影によって得られたデータに基づいてメイン画像を生成する（ステップＳＴ２７）。乳房Ｘ線撮影装置１は、ステップＳＴ２１によって圧迫された右乳房を圧迫解除する（ステップＳＴ２８）。
【００７７】
図１１の説明に進んで、乳房Ｘ線撮影装置１は、撮影台装置１１の圧迫板２４によって患者ＩＤ「００３」の患者Ｏの左乳房をＭＬＯで圧迫する（ステップＳＴ３１）。乳房Ｘ線撮影装置１は、ステップＳＴ３１によって圧迫された左乳房の乳房厚「４９ｍｍ」を取得する（ステップＳＴ３２）。
【００７８】
乳房Ｘ線撮影装置１は、ステップＳＴ３１によって圧迫された左乳房を有する患者Ｏの患者ＩＤ「００３」を含む登録データ要素が登録データ（図１２に図示）の中に登録されていると判断し、本実施形態に従って、登録データ（図１２に図示）から患者Ｏの患者ＩＤ「００３」を含む登録データ要素を取得する（ステップＳＴ３３）。
【００７９】
乳房Ｘ線撮影装置１は、左乳房のＭＬＯの乳房厚「４９ｍｍ」から、ステップＳＴ３３によって取得された登録データ要素に含まれる乳房厚「４５ｍｍ」を引いた差「４ｍｍ」を求める（ステップＳＴ３４）。そして、乳房Ｘ線撮影装置１は、ステップＳＴ３３によって取得された登録データ要素に含まれる過去のメイン撮影条件のうち管電流時間積のパラメータを、ステップＳＴ３４によって求めた差「４ｍｍ」に従って補正することで、左乳房をＭＬＯでメイン撮影するためのメイン撮影条件を設定する（ステップＳＴ３５）。
【００８０】
乳房Ｘ線撮影装置１は、ステップＳＴ３５において、差「４ｍｍ」を図６に示す対応テーブルに参照することで得られる変換係数「１．２２」を、ステップＳＴ３３によって取得された登録データ要素に含まれる過去のメイン撮影条件のうち管電流時間積のパラメータ「９５ｍＡｓ」に乗じる。そして、乳房Ｘ線撮影装置１は、患者ＩＤ「００３」の患者Ｏの左乳房をＭＬＯでメイン撮影するための管電流時間積のパラメータを、乗じられた後の「１１５．９０ｍＡｓ」と設定する。なお、管電流時間積以外のメイン撮影条件のパラメータについては、対応テーブルが存在しない限り、ステップＳＴ３３によって取得された登録データ要素に含まれる過去のものと同一とすればよい。
【００８１】
乳房Ｘ線撮影装置１は、ステップＳＴ３５によって設定されたメイン撮影条件に従って撮影台装置１１を制御して、ステップＳＴ３１によって圧迫された左乳房に対してＭＬＯでメイン撮影を行ない（ステップＳＴ３６）、そのメイン撮影によって得られたデータに基づいてメイン画像を生成する（ステップＳＴ３７）。乳房Ｘ線撮影装置１は、ステップＳＴ３１によって圧迫された左乳房を圧迫解除する（ステップＳＴ３８）。そして、乳房Ｘ線撮影装置１は、動作を終了する。
【００８２】
以上のように、所定の患者Ｏの乳房について１回のメイン撮影を行なえば、その後に同一患者Ｏについてメイン撮影を行なう都度、それに先立つプレ撮影が回避される。例えば、図８〜図１１に示すように同一患者Ｏの乳房について連続して４回のメイン撮影を行なう場合、図９〜図１１に示す３回のメイン撮影に先立つ３回分のプレ撮影が回避される。その場合、３回分のプレ撮影による患者Ｏの被曝が低減され、圧迫時間も短縮されることになる。
【００８３】
本実施形態の乳房Ｘ線撮影装置１によると、同一患者Ｏの乳房撮影を複数回行なう場合に、乳腺と脂肪の割合が同一とみなすことで２回目以降のプレ撮影を回避できるので、患者Ｏの被曝を低減させることができる。また、本実施形態の乳房Ｘ線撮影装置１によると、同一患者Ｏの乳房撮影を複数回行なう場合に、乳腺と脂肪の割合が同一とみなすことで２回目以降のプレ撮影を回避できるので、撮影時間を短縮でき、患者Ｏの乳房の圧迫時間を短縮させることができる。
【００８４】
（第１の変形例）
第１の変形例に係る乳房Ｘ線撮影装置１では、識別情報が、患者ＩＤ及び乳房側（左右のいずれか）の組み合わせである場合について説明する。
【００８５】
図１３は、登録ＤＢ４５に記憶される登録データの一例を示す図である。
【００８６】
登録データは、図１３に示すように、識別情報としての患者ＩＤ及び乳房側に、メイン撮影条件と、乳房厚とが対応付けられてなる。例えば、図１３に示す患者ＩＤ「００１」及び乳房側「右」の組み合わせの登録データ要素は、メイン撮影条件のパラメータ「３０ｋＶ」及び「１００ｍＡｓ」と、乳房厚「４４ｍｍ」とが対応付けられてなる。
【００８７】
そして、図７に示す判断手段５２は、登録ＤＢ４５の登録データ（図１３に図示）を参照し、今回のメイン撮影に係る識別情報を含む登録データ要素が登録されている場合に本実施形態に従って今回のメイン撮影に係るメイン撮影条件を設定すると判断する。ここでは、識別情報が、患者ＩＤ及び乳房側の組み合わせである場合について説明する。
【００８８】
今回のメイン撮影のために圧迫された乳房を有する患者Ｏの患者ＩＤ及び乳房側を含む登録データ要素が登録されている場合、すなわち、今回のメイン撮影の対象が図１３に示す患者ＩＤ「００１」の乳房側「右」の乳房である場合、判断手段５２は、本実施形態に従って今回のメイン撮影条件を設定するものと判断する。一方で、今回のメイン撮影の対象が図１３に示す患者ＩＤ「００１」，「００２」以外の乳房である場合や、患者ＩＤ「００１」の乳房側「左」の乳房である場合、判断手段５２は、従来技術に従って今回のメイン撮影条件を設定するものと判断する。
【００８９】
続いて、第１の変形例に係る本実施形態の乳房Ｘ線撮影装置１の動作について図４、図１４〜図１７を用いて説明する。ここでは、登録ＤＢ４５に登録データ（図１３に図示）が登録されている場合に、患者ＩＤ「００３」の患者Ｏについて連続して４回のメイン撮影を行なう場合を例にとって説明する。４回のメイン撮影は、図８〜図１１と同様に、乳房側「右」の撮影方向「ＣＣ」における撮影（図１４に図示）、乳房側「左」の撮影方向「ＣＣ」における撮影（図１５に図示）、乳房側「右」の撮影方向「ＭＬＯ」における撮影（図１６に図示）、乳房側「左」の撮影方向「ＭＬＯ」における撮影（図１７に図示）、の順に行なわれるものとする。しかしながら、第１の変形例に係る本実施形態の乳房Ｘ線撮影装置１の動作は、この順に行なわれる場合に限られるものでもないし、連続するメイン撮影が４回に限られるものでもないし、同一患者に対する複数のメイン撮影が連続して行なわれる場合（同一患者に対する複数のメイン撮影の間に他の患者のメイン撮影が行なわれない場合）に限られるものでもない。
【００９０】
図１４〜図１７は、第１変形例に係る本実施形態の乳房Ｘ線撮影装置１の動作を示すフローチャートである。なお、図１４〜図１７において、図８〜図１１と同一ステップには同一符号を付して説明を省略する。
【００９１】
図１４を説明すると、乳房Ｘ線撮影装置１は、ステップＳＴ１によって圧迫された患者Ｏの患者ＩＤ「００３」及び乳房側「右」を含む登録データ要素が登録データ（図１３に図示）の中に登録されていないと判断し、従来技術に従って、患者ＩＤ「００３」の患者Ｏの右乳房をＣＣでメイン撮影するためのプレ撮影条件を設定する（ステップＳＴ３ａ）。
【００９２】
乳房Ｘ線撮影装置１は、ステップＳＴ６によって設定されたメイン撮影条件を、識別情報としての患者ＩＤ「００３」及び乳房側「右」と、ステップＳＴ１によってＣＣで圧迫された右乳房の乳房厚「４５ｍｍ」とともに登録データ要素として登録ＤＢ４５に登録する（ステップＳＴ７ａ）。
【００９３】
図１８は、登録ＤＢ４５に記憶される登録データの一例を示す図であり、図１３に示す登録データが更新されたものである。
【００９４】
右乳房をＣＣでメイン撮影するためのメイン撮影条件が設定されると、図１８に示すように、患者ＩＤ「００３」及び乳房側「右」の組み合わせと、メイン撮影条件のパラメータ「２８ｋＶ」及び「９５ｍＡｓ」と、ステップＳＴ１（図１４に図示）によって圧迫された右乳房の乳房厚「４５ｍｍ」とが対応付けられて登録データ要素として登録される。
【００９５】
図１５の説明に進んで、乳房Ｘ線撮影装置１は、ステップＳＴ１１によって圧迫された左乳房を有する患者Ｏの患者ＩＤ「００３」及び乳房側「左」を含む登録データ要素が登録データ（図１８に図示）の中に登録されていないと判断し、従来技術に従って、患者ＩＤ「００３」の患者Ｏの左乳房をＣＣでメイン撮影するためのプレ撮影条件を設定する（ステップＳＴ４３）。そして、乳房Ｘ線撮影装置１は、ステップＳＴ４３によって設定されたプレ撮影条件に従って撮影台装置１１を制御して、ステップＳＴ１１によって圧迫された左乳房をＣＣでプレ撮影を行ない（ステップＳＴ４４）、プレ撮影によって得られたデータに基づいてプレ画像を生成する（ステップＳＴ４５）。そして、乳房Ｘ線撮影装置１は、ステップＳＴ４５によって生成されたプレ画像を解析して、左乳房をＣＣでメイン撮影するためのメイン撮影条件を設定する（ステップＳＴ４６）。
【００９６】
乳房Ｘ線撮影装置１は、ステップＳＴ４６によって設定されたメイン撮影条件を、識別情報としての患者ＩＤ「００３」及び乳房側「左」と、ステップＳＴ１１によってＣＣで圧迫された左乳房の乳房厚「４８ｍｍ」とともに登録データ要素として登録ＤＢ４５に登録する（ステップＳＴ４７）。
【００９７】
図１９は、登録ＤＢ４５に記憶される登録データの一例を示す図であり、図１８に示す登録データが更新されたものである。
【００９８】
左乳房をＣＣでメイン撮影するためのメイン撮影条件が設定されると、図１９に示すように、患者ＩＤ「００３」及び乳房側「左」と、メイン撮影条件のパラメータ「３１ｋＶ」及び「１０５ｍＡｓ」と、ステップＳＴ１１（図１５に図示）によって圧迫された左乳房の乳房厚「４８ｍｍ」とが対応付けられて登録データ要素として登録される。
【００９９】
図１５の説明に戻って、乳房Ｘ線撮影装置１は、ステップＳＴ４６によって設定されたメイン撮影条件に従って、ステップＳＴ１１によって圧迫された左乳房に対してＣＣでメイン撮影を行ない（ステップＳＴ４８）、メイン撮影によって得られたデータに基づいてメイン画像を生成する（ステップＳＴ４９）。乳房Ｘ線撮影装置１は、ステップＳＴ１１によって圧迫された左乳房を圧迫解除する（ステップＳＴ５０）。
【０１００】
図１６の説明に進んで、乳房Ｘ線撮影装置１は、ステップＳＴ２１によって圧迫された右乳房を有する患者Ｏの患者ＩＤ「００３」及び乳房側「右」を含む登録データ要素が登録データ（図１９に図示）の中に登録されていると判断し、本実施形態に従って、登録データ（図１９に図示）から患者Ｏの患者ＩＤ「００３」及び乳房側「右」を含む登録データ要素を取得する（ステップＳＴ２３ａ）。
【０１０１】
乳房Ｘ線撮影装置１は、右乳房のＭＬＯの乳房厚「４３ｍｍ」から、ステップＳＴ２３ａによって取得された登録データ要素に含まれる乳房厚「４５ｍｍ」を引いた差「−２ｍｍ」を求める（ステップＳＴ２４ａ）。そして、乳房Ｘ線撮影装置１は、ステップＳＴ２３ａによって取得された登録データ要素に含まれる過去のメイン撮影条件のうち管電流時間積のパラメータを、ステップＳＴ２４ａによって求めた差「−２ｍｍ」に従って補正することで、右乳房をＭＬＯでメイン撮影するためのメイン撮影条件を設定する（ステップＳＴ２５ａ）。
【０１０２】
乳房Ｘ線撮影装置１は、ステップＳＴ２５ａにおいて、差「−２ｍｍ」を図６に示す対応テーブルに参照することで得られる変換係数「０．９１」を、ステップＳＴ２３ａによって取得された登録データ要素に含まれる過去のメイン撮影条件のうち管電流時間積のパラメータ「９５ｍＡｓ」に乗じる。そして、乳房Ｘ線撮影装置１は、患者ＩＤ「００３」の患者Ｏの右乳房をＭＬＯでメイン撮影するための管電流時間積のパラメータを、乗じられた後の「８６．４５ｍＡｓ」と設定する。なお、管電流時間積以外のメイン撮影条件のパラメータについては、対応テーブルが存在しない限り、ステップＳＴ２３ａによって取得された登録データ要素に含まれる過去のものと同一とすればよい。
【０１０３】
図１７の説明に進んで、乳房Ｘ線撮影装置１は、ステップＳＴ３１によって圧迫された左乳房を有する患者Ｏの患者ＩＤ「００３」及び乳房側「左」を含む登録データ要素が登録データ（図１９に図示）の中に登録されていると判断し、本実施形態に従って、登録ＤＢ４５（図１９に図示）から患者Ｏの患者ＩＤ「００３」及び乳房側「左」を含む登録データ要素を取得する（ステップＳＴ３３ａ）。
【０１０４】
乳房Ｘ線撮影装置１は、左乳房のＭＬＯの乳房厚「４９ｍｍ」から、ステップＳＴ３３ａによって取得された登録データ要素に含まれる乳房厚「４８ｍｍ」を引いた差「１ｍｍ」を求める（ステップＳＴ３４ａ）。そして、乳房Ｘ線撮影装置１は、ステップＳＴ３３ａによって取得された登録データ要素に含まれる過去のメイン撮影条件の管電流時間積のパラメータを、ステップＳＴ３４ａによって求めた差「１ｍｍ」に従って補正することで、左乳房をＭＬＯでメイン撮影するためのメイン撮影条件を設定する（ステップＳＴ３５ａ）。
【０１０５】
乳房Ｘ線撮影装置１は、ステップＳＴ３５ａにおいて、差「１ｍｍ」を図６に示す対応テーブルに参照することで得られる変換係数「１．０５」を、ステップＳＴ３３ａによって取得された登録データ要素に含まれる過去のメイン撮影条件のうち管電流時間積のパラメータ「１０５ｍＡｓ」に乗じる。そして、乳房Ｘ線撮影装置１は、患者ＩＤ「００３」の患者Ｏの左乳房をＭＬＯでメイン撮影するための管電流時間積のパラメータを、乗じられた後の「１１０．２５ｍＡｓ」と設定する。なお、管電流時間積以外のメイン撮影条件のパラメータについては、対応テーブルが存在しない限り、ステップＳＴ３３ａによって取得された登録データ要素に含まれる過去のものと同一とすればよい。
【０１０６】
以上のように、所定の患者Ｏの所定の乳房側（右または左）の乳房について１回のメイン撮影を行なえば、その後に同一患者Ｏの同一乳房側の乳房についてメイン撮影を行なう都度、それに先立つプレ撮影が回避される。例えば、図１４〜図１７に示すように同一患者Ｏについて連続して４回のメイン撮影を行なう場合、図１６及び図１７に示す２回のメイン撮影に先立つ２回分のプレ撮影が回避される。その場合、２回分のプレ撮影による患者Ｏの被曝が低減され、圧迫時間も短縮されることになる。
【０１０７】
第１の変形例に係る本実施形態の乳房Ｘ線撮影装置１によると、同一患者Ｏの同一乳房側の乳房撮影を複数回行なう場合に、乳腺と脂肪の割合が同一とみなすことで２回目以降のプレ撮影を回避できるので、患者Ｏの被曝を低減させることができる。また、第１の変形例に係る本実施形態の乳房Ｘ線撮影装置１によると、同一患者Ｏの同一乳房側の乳房撮影を複数回行なう場合に、乳腺と脂肪の割合が同一とみなすことで２回目以降のプレ撮影を回避できるので、撮影時間を短縮でき、患者Ｏの乳房の圧迫時間を短縮させることができる。
【０１０８】
（第２の変形例）
第２の変形例に係る乳房Ｘ線撮影装置１では、識別情報が、患者ＩＤ及び撮影方向の組み合わせである場合について説明する。
【０１０９】
図２０は、登録ＤＢ４５に記憶される登録データの一例を示す図である。
【０１１０】
登録データは、図２０に示すように、識別情報としての患者ＩＤ及び撮影方向に、メイン撮影条件と、乳房厚とが対応付けられてなる。例えば、図２０に示す患者ＩＤ「００１」及び撮影方向「ＣＣ」の組み合わせの登録データ要素は、メイン撮影条件のパラメータ「３０ｋＶ」及び「１００ｍＡｓ」と、乳房厚「４４ｍｍ」とが対応付けられてなる。
【０１１１】
なお、図２０に示す登録データでは、撮影方向毎に登録データ要素を登録する場合について説明しているが、その場合に限定されるものではない。近接する複数の撮影方向を撮影方向グループとし、撮影方向グループ毎に登録データ要素が登録されてもよい。
【０１１２】
そして、図７に示す判断手段５２は、登録ＤＢ４５（図２０に図示）を参照し、今回のメイン撮影に係る識別情報を含む登録データ要素が登録データ（図２０に図示）の中に登録されている場合に本実施形態に従って今回のメイン撮影に係るメイン撮影条件を設定すると判断する。ここでは、識別情報が、患者ＩＤ及び撮影方向の組み合わせである場合について説明する。
【０１１３】
今回のメイン撮影のために圧迫された乳房を有する患者Ｏの患者ＩＤ及び撮影方向を含む登録データ要素が登録されている場合、すなわち、今回のメイン撮影の対象が図２０に示す患者ＩＤ「００１」の乳房であり撮影方向が「ＣＣ」である場合、判断手段５２は、本実施形態に従って今回のメイン撮影条件を設定するものと判断する。一方で、今回のメイン撮影の対象が図２０に示す患者ＩＤ「００１」，「００２」以外の乳房である場合や、患者ＩＤ「００１」の乳房であり撮影方向が「ＭＬＯ」である場合、判断手段５２は、従来技術に従って今回のメイン撮影条件を設定するものと判断する。
【０１１４】
なお、第２の変形例に係る本実施形態の乳房Ｘ線撮影装置１の動作は、第１の変形例に係る本実施形態の乳房Ｘ線撮影装置１の動作に準ずるものとして説明を省略する。所定の患者Ｏの乳房について所定の撮影方向で１回のメイン撮影を行なえば、その後に同一患者Ｏの乳房について同一撮影方向でメイン撮影を行なう都度、それに先立つプレ撮影が回避される。例えば、同一患者Ｏについて連続して４回のメイン撮影（乳房側「右」の撮影方向「ＣＣ」、乳房側「左」の撮影方向「ＣＣ」、乳房側「右」の撮影方向「ＭＬＯ」、乳房側「左」の撮影方向「ＭＬＯ」の順）を行なう場合、２回のメイン撮影（乳房側「左」の撮影方向「ＣＣ」、乳房側「左」の撮影方向「ＭＬＯ」）に先立つ２回分のプレ撮影が回避される。その場合、２回分のプレ撮影による患者Ｏの被曝が低減され、圧迫時間も短縮されることになる。
【０１１５】
第２の変形例に係る本実施形態の乳房Ｘ線撮影装置１によると、同一患者Ｏの乳房撮影を略同一撮影方向で複数回行なう場合に、乳腺と脂肪の割合が同一とみなすことで２回目以降のプレ撮影を回避できるので、患者Ｏの被曝を低減させることができる。また、第２の変形例に係る本実施形態の乳房Ｘ線撮影装置１によると、同一患者Ｏの乳房撮影を略同一撮影方向で複数回行なう場合に、乳腺と脂肪の割合が同一とみなすことで２回目以降のプレ撮影を回避できるので、撮影時間を短縮でき、患者Ｏの乳房の圧迫時間を短縮させることができる。
【０１１６】
（第３の変形例）
第３の変形例に係る乳房Ｘ線撮影装置１では、識別情報が、患者ＩＤ、乳房側、及び撮影方向の組み合わせである場合について説明する。
【０１１７】
図２１は、登録ＤＢ４５に記憶される登録データの一例を示す図である。
【０１１８】
登録データは、図２１に示すように、識別情報としての患者ＩＤ、乳房側、及び撮影方向に、メイン撮影条件と、乳房厚とが対応付けられてなる。例えば、図２１に示す患者ＩＤ「００１」、乳房側「右」、及び撮影方向「ＣＣ」の組み合わせの登録データ要素は、メイン撮影条件としての管電圧のパラメータ「３０ｋＶ」及び「１００ｍＡｓ」と、乳房厚「４４ｍｍ」とが対応付けられてなる。
【０１１９】
なお、図２１に示す登録データでは、撮影方向毎に登録データ要素を登録する場合について説明しているが、その場合に限定されるものではない。近接する複数の撮影方向を撮影方向グループとし、撮影方向グループ毎に登録データ要素が登録されてもよい。
【０１２０】
そして、図７に示す判断手段５２は、登録ＤＢ４５（図２１に図示）を参照し、今回のメイン撮影に係る識別情報を含む登録データ要素が登録データ（図２１に図示）の中に登録されている場合に本実施形態に従って今回のメイン撮影に係るメイン撮影条件を設定すると判断する。ここでは、識別情報が、患者ＩＤ、乳房側、及び撮影方向の組み合わせである場合について説明する。
【０１２１】
今回のメイン撮影のために圧迫された乳房を有する患者Ｏの患者ＩＤ、乳房側、及び撮影方向を含む登録データ要素が登録されている場合、すなわち、今回のメイン撮影の対象が図２１に示す患者ＩＤ「００１」及び乳房側「右」の乳房であり撮影方向が「ＣＣ」である場合、判断手段５２は、本実施形態に従って今回のメイン撮影条件を設定するものと判断する。一方で、今回のメイン撮影の対象が図２１に示す患者ＩＤ「００１」，「００２」以外の乳房である場合や、患者ＩＤ「００１」及び乳房側「右」の乳房であり撮影方向が「ＭＬＯ」である場合や、患者ＩＤ「００１」及び乳房側「左」の乳房であり撮影方向が「ＣＣ」である場合、判断手段５２は、従来技術に従って今回のメイン撮影条件を設定するものと判断する。
【０１２２】
なお、第３の変形例に係る本実施形態の乳房Ｘ線撮影装置１の動作は、第１の変形例に係る本実施形態の乳房Ｘ線撮影装置１の動作に準ずるものとして説明を省略する。所定の患者Ｏの所定の乳房側（右または左）の乳房について所定の撮影方向で１回のメイン撮影を行なえば、その後に同一患者Ｏの同一乳房側の乳房について同一撮影方向でメイン撮影を行なう都度、それに先立つプレ撮影が回避される。なお、同一患者Ｏについて連続して４回のメイン撮影（乳房側「右」の撮影方向「ＣＣ」、乳房側「左」の撮影方向「ＣＣ」、乳房側「右」の撮影方向「ＭＬＯ」、乳房側「左」の撮影方向「ＭＬＯ」の順）を行なう場合は、プレ撮影は回避されない。
【０１２３】
第３の変形例に係る本実施形態の乳房Ｘ線撮影装置１によると、同一患者Ｏの同一乳房側の乳房撮影を略同一撮影方向で複数回行なう場合に、乳腺と脂肪の割合が同一とみなすことで２回目以降のプレ撮影を回避できるので、患者Ｏの被曝を低減させることができる。また、第３の変形例に係る本実施形態の乳房Ｘ線撮影装置１によると、同一患者Ｏの同一乳房側の乳房撮影を略同一撮影方向で複数回行なう場合に、乳腺と脂肪の割合が同一とみなすことで２回目以降のプレ撮影を回避できるので、撮影時間を短縮でき、患者Ｏの乳房の圧迫時間を短縮させることができる。
【０１２４】
以上、本発明のいくつかの実施形態を説明したが、これらの実施形態は、例として提示したものであり発明の範囲を限定することは意図していない。これら新規な実施形態は、その他の様々な形態で実施されることが可能であり、発明の要旨を逸脱しない範囲で種々の省略、置き換え、変更を行なうことができる。これらの実施形態やその変形は、発明の範囲や要旨に含まれるとともに、特許請求の範囲に記載された発明とその均等の範囲に含まれる。
【符号の説明】
【０１２５】
１  乳房Ｘ線撮影装置
１１  撮影台装置
１２  画像処理装置
４１  入力装置
４２  表示装置
４３  システム制御部
４４  記憶装置
４５  登録ＤＢ
４６  対応テーブルＤＢ
５１  乳房厚取得手段
５２  判断手段
５３  プレ撮影条件設定手段
５４  プレ撮影手段
５５  第１メイン撮影条件設定手段
５６  データ管理手段
５７  第２メイン撮影条件設定手段
５８  メイン撮影手段
【図１】
2015084934.tif 000003
【図２】
2015084934.tif 000004
【図３】
2015084934.tif 000005
【図４】
2015084934.tif 000006
【図５】
2015084934.tif 000007
【図６】
2015084934.tif 000008
【図７】
2015084934.tif 000009
【図８】
2015084934.tif 000010
【図９】
2015084934.tif 000011
【図１０】
2015084934.tif 000012
【図１１】
2015084934.tif 000013
【図１２】
2015084934.tif 000014
【図１３】
2015084934.tif 000015
【図１４】
2015084934.tif 000016
【図１５】
2015084934.tif 000017
【図１６】
2015084934.tif 000018
【図１７】
2015084934.tif 000019
【図１８】
2015084934.tif 000020
【図１９】
2015084934.tif 000021
【図２０】
2015084934.tif 000022
【図２１】
2015084934.tif 000023